(57)【特許請求の範囲】
【請求項１】
ビデオプロセッサに電気的に接続される接点群が接続筒内に配置された電子内視鏡の電気コネクタに対し着脱自在な防水キャップであって、上記接続筒を囲む状態に取り付けられるキャップ部材の口元内周部分に、上記接続筒の基部外周面との間をシールするシール部材が配置されたものにおいて、
上記キャップ部材の口元外面部分に、弾力性のある緩衝部材を取り付けたことを特徴とする電子内視鏡の電気コネクタの防水キャップ。
【請求項２】
上記接続筒の開口部と上記キャップ部材との間をシールする第２のシール部材が設けられている請求項１記載の電子内視鏡の電気コネクタの防水キャップ。
【発明の詳細な説明】
【０００１】
【発明の属する技術分野】
この発明は、電子内視鏡の電気コネクタに対し洗浄消毒時に取り付けられる防水キャップに関する。
【０００２】
【従来の技術】
ビデオプロセッサとの間で電気信号を導通させるために電子内視鏡に設けられた電気コネクタは、一般に、ビデオプロセッサに電気的に接続される接点群が、ビデオプロセッサに機械的に接続される接続筒内に配置された構成になっている。
【０００３】
内視鏡使用後の洗浄消毒時にそのような接点群が濡れないように電気コネクタに取り付けられる防水キャップには、接続筒を囲む状態に着脱自在なキャップ部材の口元内周部分に、接続筒の基部外周面との間をシールするＯリングが装着されていて、接続筒内への水分の浸入を防止している。
【０００４】
【発明が解決しようとする課題】
したがって、防水キャップがシール性を維持するためには、キャップ部材の口元部分が変形しないことが必要であるが、キャップ部材の口元部分は元々全体の中で最も変形し易い部分であるうえ、Ｏリングを装着するための溝が形成されて肉薄になるので、衝撃等によって容易に変形してシール性が悪くなっていた。
【０００５】
そこで本発明は、落下等による衝撃が加わってもキャップ部材の口元部分が変形し難くて、良好なシール性を維持することができる電子内視鏡の電気コネクタの防水キャップを提供することを目的とする。
【０００６】
【課題を解決するための手段】
上記の目的を達成するため、本発明の電子内視鏡の電気コネクタの防水キャップは、ビデオプロセッサに電気的に接続される接点群が接続筒内に配置された電子内視鏡の電気コネクタに対し着脱自在な防水キャップであって、接続筒を囲む状態に取り付けられるキャップ部材の口元内周部分に、接続筒の基部外周面との間をシールするシール部材が配置されたものにおいて、キャップ部材の口元外面部分に、弾力性のある緩衝部材を取り付けたものである。
【０００７】
なお、接続筒の開口部とキャップ部材との間をシールする第２のシール部材が設けられていてもよい。
【０００８】
【発明の実施の形態】
図面を参照して本発明の実施例を説明する。
図２は電子内視鏡の全体構成を示しており、挿入部１の先端に内蔵された固体撮像素子２によって内視鏡観察像が撮像される。
【０００９】
挿入部１の基端が連結された操作部３から延出する可撓性連結管４の先端には、図示されていないビデオプロセッサに対して接続されるコネクタ５が設けられている。
【００１０】
コネクタ５には、光源ランプから照明光を受けるライトガイドコネクタ部６と、ビデオプロセッサとの間で電気信号を導通させるための電気コネクタ部７とが設けられている。
【００１１】
電気コネクタ部７は、ビデオプロセッサに電気的に接続される接点群が、ビデオプロセッサに機械的に接続される接続筒７１内に配置された構成になっており、使用後の洗浄消毒時には防水キャップ１０が被せられる。
【００１２】
図１は防水キャップ１０を示しており、接続筒７１を密封する状態に囲むためのキャップ部材１１は金属製であり、一端側だけが開口形成されていて、その開口端面とそれに連続する外周面に、弾力性のある材料からなる緩衝部材２０が被覆されている。
【００１３】
緩衝部材２０は、例えばシリコンゴム等のように弾力性と耐薬品性の優れた材料により形成され、キャップ部材１１に対してライニング成形あるいは接着により取り付けられている。ただし、必ずしもキャップ部材１１に対して固着されていなくても差し支えない。
【００１４】
キャップ部材１１の内側に沿って固定された無底筒状のガイド筒１２には、接続筒７１の外周面に突設されたガイドピン７２が係合するＬ字状のガイド溝１３が形成されている。
【００１５】
ガイド筒１２は、外方からねじ込まれた小ネジ１４によってキャップ部材１１に固定されているが、そのネジ孔は有底であり、また小ネジ１４を挟んで一対のＯリング１５，１６がキャップ部材１１とガイド筒１２との嵌合部に装着されているので、小ネジ１４部分から防水キャップ１０内への水分の浸入はない。
【００１６】
キャップ部材１１内の底部には、蓋状部材１７が配置されている。蓋状部材１７は、キャップ部材１１の底面の径より僅かに小さな円盤状部１７ａから、接続筒７１に緩く内接する大きさの円筒状部１７ｂが突設された形状に形成されている。
【００１７】
そして、円盤状部１７ａがガイド筒１２とキャップ部材１１との間に遊びをもって挟まれているので、蓋状部材１７全体がキャップ部材１１内において径方向及び軸線方向に各々僅かに遊動可能に配置された状態になっている。
【００１８】
このように構成された防水キャップ１０の、キャップ部材１１の口元近傍の内周面に形成された円周溝には、電気コネクタ部７の基部外周面に密接して弾力的に潰される第１のＯリング２１が装着されている。
【００１９】
また、蓋状部材１７の円筒状部１７ｂの外周面に形成された円周溝には、電気コネクタ部７の開口部内周面に密接して弾力的に潰される第２のＯリング２２が装着されている。
【００２０】
図３は、上述のように構成された防水キャップ１０を電気コネクタ部７に取り付ける際の状態を示しており、緩衝部材２０の外面に形成された指標１９を接続筒７１の外周面に突設された指標ピン７３に対して位置合わせをし、ガイドピン７２をガイド溝１３に係合させて防水キャップ１０を電気コネクタ部７に被せていく。
【００２１】
そして、図４に示されるように、防水キャップ１０が電気コネクタ部７に完全に被せられた状態になると、防水キャップ１０と電気コネクタ部７との間が第１のＯリング２１と第２のＯリング２２によって、接続筒７１の基部近傍と開口部近傍の二箇所でシールされる。
【００２２】
その際に、第２のＯリング２２が装着されている蓋状部材１７がキャップ部材１１に対して遊動可能なので、第１のＯリング２１と第２のＯリング２２とが各々均等に歪みなく潰れて各々において良好なシール性が得られる。
【００２３】
このように用いられる防水キャップ１０は、キャップ部材１１の開口部の口元外面部分に緩衝部材２０が被覆されていることから、誤って落下させたりしても、緩衝部材２０により衝撃が吸収されるのでキャップ部材１１の口元が変形し難く、当初のシール性を長期にわたって維持することができる。
【００２４】
【発明の効果】
本発明によれば、キャップ部材の口元外面部分に、弾力性のある緩衝部材を取り付けたことにより、落下等による衝撃が加わってもキャップ部材の口元部分が変形し難くて、良好なシール性を維持することができる。
【図面の簡単な説明】
【図１】本発明の実施例の防水キャップの半断面図である。
【図２】本発明の実施例の電子内視鏡の全体構成を示す外観図である。
【図３】本発明の実施例の電気コネクタ部に防水キャップが取り付けられる直前の状態の斜視図である。
【図４】本発明の実施例の電気コネクタ部に防水キャップが取り付けられた状態の半断面図である。
【符号の説明】
７  電気コネクタ部（電気コネクタ）
１０  防水キャップ
１１  キャップ部材
２０  緩衝部材
２１，２２  Ｏリング（シール部材）
７１  接続筒
【図１】
0004349713.tif 000002
【図２】
0004349713.tif 000003
【図３】
0004349713.tif 000004
【図４】
0004349713.tif 000005